(57)【要約】【課題】頭部の直下に平面がない場合にも第１頸椎を支持することのできる頸椎支持具を提供すること。【解決手段】人体の第１頸椎を載置する第１袋体２と第１袋体２の一軸方向の一側の端部に接続して人体の肩部を載置する第２袋体３とを備え、第１袋体２は人体の頭部を載置する貫通部２１を有し、第１袋体及び第２袋体の少なくとも一方に空気を入れるための開閉可能な孔部２０が設けられ、第１袋体と第２袋体との間で空気を流通させる通気路４が設けられていることを特徴とする頸椎支持具を提供する。第１袋体２の貫通部２１に頭部を載置し、その第２袋体３寄りの箇所で第１頸椎を支持する。肩部の載置された第２袋体３から、通気路を介して第１袋体２に空気が送られる。第１袋体２には多くの空気が内包され、空気圧によって第１頸椎を支えることができる。【選択図】図１
2016036638.tif 000002
【特許請求の範囲】
【請求項１】
人体の頸椎を支持する頸椎支持具であって、
前記人体の第１頸椎を載置する第１袋体と、
前記第１袋体の一軸方向の一側の端部に接続し、前記人体の肩部を載置する第２袋体とを備え、
前記第１袋体は前記人体の頭部を載置する貫通部又は凹部を有し、
前記第１袋体及び前記第２袋体の少なくとも一方に空気を入れるための開閉可能な孔部が設けられ、
前記第１袋体と前記第２袋体との間で空気を流通させる通気路が設けられていることを特徴とする頸椎支持具。
【請求項２】
前記貫通部又は凹部は、上面視において、前記第２袋体に向かう頂点を有する略二等辺三角形状であることを特徴とする、請求項１に記載の頸椎支持具。
【請求項３】
前記第１袋体の底面の下方に、第３袋体が結合されていることを特徴とする、請求項１又は２に記載の頸椎支持具。
【請求項４】
前記第１袋体の底面は、硬性の板であることを特徴とする。請求項１〜３のいずれか１項に記載の頸椎支持具。
【請求項５】
前記第１袋体の容積は、前記第２袋体の容積よりも小さいことを特徴とする、請求項１〜４のいずれか1項に記載の頸椎支持具。
【発明の詳細な説明】
【技術分野】
【０００１】
本発明は、人体の頸椎、特に第１頸椎を支持する頸椎支持具に関する。
【背景技術】
【０００２】
仰臥時には、枕を使用して人体の頭部を支持する。首部に連なる脊椎を正しく安楽な状態に維持することができる。脊椎（脊椎骨）は、側方視Ｓ字状の形状を有し、頭蓋骨の後頭骨にある大後頭孔から骨盤まで連なる約３０の椎骨、すなわち第１〜第７頸椎（頸椎部湾曲部）、第１〜第１２胸椎（胸椎部湾曲部）、第１〜第５腰椎（腰部湾曲部）、第１〜第５仙椎、及び３〜６の尾椎から形成される。
【０００３】
頸椎に加わる頭部の重量（負担）を軽減するために、人体の頭部とともに頸椎を全体的に前湾状に支持する構造の枕、より詳細には、上面が丸みを帯びた側面視かまぼこ形状を有する枕が知られている。また、使用者に不快感、或いは違和感を与えることなく広背筋の凝りを解すことのできる枕として、複数の指圧用突起部を有する広背筋当面部と頭部当面部とを連設し、広背筋当面部が使用者の肩側から背中の下側にかけてその高さを次第に低くする構造のものが知られている（例えば、特許文献１参照）。
【０００４】
重い頭部を支持する背骨の中でも特に第１頸椎は重要な背骨であり、第１頸椎が歪むことで腰痛、肩こり、頭痛、神経痛等を起こすことが知られている。また、骨盤が歪むことで脊柱起立筋に加わる力が偏り、それにより脊柱起立筋が緊張することで、背中に痛みが発生することも知られている。仰臥時には、第１頸椎を支持することが好ましい。
【０００５】
ここで、枕を使用して睡眠をとる時以外にも、仰臥姿勢になる時がある。具体的には、美容院においてシャンプー処置をされる時である。かかる時にも第１頸椎を支持することが好ましい。しかし、シャンプー処置の時には、頭部の下方は流しであり枕を支持する平面がない。枕を使用することができず、別形態で第１頸椎を支持するための頸椎支持具が必要である。
【先行技術文献】
【特許文献】
【０００６】
【特許文献１】特開２００４−１６６８４６号公報
【発明の概要】
【発明が解決しようとする課題】
【０００７】
本発明は、頭部の直下に平面がない場合にも第１頸椎を支持することのできる頸椎支持具を提供することを課題とする。
【課題を解決するための手段】
【０００８】
本発明の頸椎支持具は、
人体の頸椎を支持する頸椎支持具であって、
前記人体の第１頸椎を載置する第１袋体と、
前記第１袋体の一軸方向の一側の端部に接続し、前記人体の肩部を載置する第２袋体とを備え、
前記第１袋体は前記人体の頭部を載置する貫通部又は凹部を有し、
前記第１袋体及び前記第２袋体の少なくとも一方に空気を入れるための開閉可能な孔部が設けられ、
前記第１袋体と前記第２袋体との間で空気を流通させる通気路が設けられていることを特徴とする。
【０００９】
第１袋体の貫通部又は凸部に頭部を載置し、その第２袋体寄りの箇所で第１頸椎を支持する。肩部の載置された第２袋体から、通気路を介して第１袋体に空気が送られる。第１袋体には多くの空気が内包され、空気圧によって第１頸椎を支えることができる。
【００１０】
本発明の頸椎支持具は、
前記貫通部又は凹部は、上面視において、前記第２袋体に向かう頂点を有する略二等辺三角形状であることを特徴とする。
【００１１】
第１頸椎を支える箇所は、頂点の第２袋体寄りの箇所である。幅が狭くなり、正確に第１頸椎を支持することができる。
【００１２】
本発明の頸椎支持具は、
前記第１袋体の底面の直下に、第３袋体が結合されていることを特徴とする。
【００１３】
美容室においてシャンプーの処置を受ける場合、頭部は流しの上にあり、肩部は椅子の背面の上にある。第１袋体が流しの上に置かれ、第２袋体は椅子の背面に載置される。椅子の背面と流しの間には金属棒等があってそこに第１袋体を載置できることが多いが、流しの底面に載置される場合もある。かかる場合に、第３袋体によって第１袋体の高さを調整し、第１袋体を安定して載置することができる。
【００１４】
本発明の頸椎支持具は、
前記第１袋体の底面は、硬性の板であることを特徴とする。
【００１５】
椅子の背面と流しの間にある金属棒等は、第１袋体の底面の全部に当接せずに一部のみに当接する場合もある。かかる場合に、第１袋体の全体が安定し、第１頸椎を確実に支持する。
【００１６】
本発明の頸椎支持具は、
前記第１袋体の容積は、前記第２袋体の容積よりも小さいことを特徴とする。
【００１７】
第２袋体を肩部で押すことによって、十分な量の空気が第１袋体に供給される。
【発明の効果】
【００１８】
本発明は、頭部の直下に平面がない場合にも第１頸椎を支持することのできる頸椎支持具を提供することができる。
【図面の簡単な説明】
【００１９】
【図１】図１は、頸椎支持具を示す図である。（実施例１）
【図２】図２は、頸椎支持の状態を示す図である。（実施例１）
【図３】図３は、頸椎支持具の使用例を示す図である。（実施例１）
【図４】図４は、頸椎支持具を示す図である。（実施例２）
【発明を実施するための形態】
【００２０】
以下、本発明の実施例を２つ示す。
【実施例１】
【００２１】
図１は、頸椎支持具を示す図である。頸椎支持具１は、仰臥姿勢において第１頸椎Ｃ１を支持するものであり、空気が充填されて使用可能な状態にある。頸椎支持具１は、頸椎支持部（空気の充填された第１袋体）２と、肩支持部（空気の充填された第２袋体）３とが接合されている。
【００２２】
頸椎支持具１は、空気を抜くと略４０ｃｍ平方のシート体であり、折り畳んで携帯、移動することが容易である。
【００２３】
接合箇所には通気路４が設けられ、第１袋体２と第２袋体３との間で空気が流通する。第２袋体（肩支持部）３に肩が載ると、肩の重みによって第２袋体３から第１袋体（頸椎支持部）２に空気が流れ、頸椎支持部に多くの空気を充填することができる。
【００２４】
第１袋体２には、空気を入れるための開閉可能な孔部２０が設けられている。孔部２０から空気を吹き込むことで、第１袋体２に空気を充填することができ、その空気は通気路４を介して第２袋体にも充填される。１つの孔部２０のみによって、２つの袋体の空気充填が可能である。なお、孔部は、第１袋体２でなく第２袋体３に設けてもよく、第１袋体２及び第２袋体３の双方に設けてもよい。
【００２５】
頸椎支持部２と肩支持部３とは、境界面の全体において接合されてはおらず、通気路４の両側の遊離部５において分離して遊離する（独立に動く）。第１袋体と第２袋体とが通気路４及びその周辺のみにおいて密着しているものである。
【００２６】
頸椎支持部２には、頭部を安定して載置するための貫通部２１が設けられている。貫通部２１の形状は任意のものでよいが、本実施例では第２袋体側が頂角（２つの等辺に挟まれた角）２１１である二等辺三角形の形状とする。なお、貫通部２１は頭部を安定して載置できればよく、頸椎支持部の下端までは貫通していない凹部であってもよい。
【００２７】
後頭部を貫通部２１に載置することで、第１頸椎支持部２２が第１頸椎Ｃ１の真下に配される。第１袋体２に空気が充填されていることで、第１頸椎支持部２２が第１頸椎Ｃ１を支持する。
【００２８】
頸椎支持部２の底面２３は、硬性の板としてもよい。必ずしも下方に平面のない状態で頸椎支持部２を安定して載置するためである。
【００２９】
図２は、頸椎支持の状態を示す図である。後頭部を貫通部２１に載せると、位置が安定し、第１頸椎Ｃ１が第１頸椎支持部２２によって支持される。
【００３０】
肩Ｓは、肩支持部３に載置される。肩の重みによって、肩支持部（第２袋体）３内の空気が、通気路４を介して頸椎支持部２に流入する。頸椎支持部２には多くの空気が内包され、第１頸椎Ｃ１を支える空気圧が高くなる。
【００３１】
図３は、頸椎支持具の使用例を示す図である。美容院のシャンプー台において使用するものである。頸椎支持部２は、金属棒７によって保持されている。肩支持部３は遊離部５において頸椎支持部２と分離し、肩支持部３の頸椎支持部２寄り（厚みの大きい側）に肩が載り、肩の重みによって多くの空気が頸椎支持部３に送られる。
【００３２】
美容院においては、シャンプーの処置、その他のシャンプー台を使用する施術（例えばヘッドスパ）の前に頸椎支持具１を用いて顧客の体勢を楽にすることができる。また、シャンプーの処置中にも頸椎支持具を用いてもよい。その場合、第１袋体が防水性のもの、例えばビニール製のものであることが好ましい。
【００３３】
以上詳細に説明したように、本実施形態の頸椎支持具１は、頸椎支持部（空気の充填された第１袋体）２と、肩支持部（空気の充填された第２袋体）３とから構成され、後頭部を貫通部２１に載置することで第１頸椎支持部２２が第１頸椎Ｃ１の真下に配される。肩支持部３に載置された肩の重みによって肩支持部３内の空気が通気路４を介して頸椎支持部２に流入し、第１頸椎Ｃ１を支える空気圧が高くなる。第１頸椎Ｃ１を効果的に支持することができる。
【００３４】
また、本実施形態の頸椎支持具１は、美容院のシャンプー台のように第１頸椎Ｃ１の下方に平面がない場合にも使用することができる。
【実施例２】
【００３５】
本実施例は、第３袋体を用いるものである。第１袋体（頸椎支持部）及び第２袋体（肩支持部）の構造は実施例１と同様であり、詳細な説明を省略する。
【００３６】
図４は、頸椎支持具を示す図である。第１袋体（頸椎支持部）２の底面の下方に、第３袋体（高さ調整部）６が結合されている。第３袋体６には、空気を入れるための開閉可能な孔部６０が設けられている。孔部６０から空気を吹き込むことで、第３袋体６に空気を充填することができる。
【００３７】
第３袋体６に充填する空気の量を調節して、第３袋体（高さ調整部）６の高さを調整することができる。例えば、図３において２本の金属棒７の間隔が頸椎支持部２の幅よりも大きい場合を想定する。頸椎支持部２が保持されない状態となるが、高さ調整部６に空気を吹き込み、高さ調整部の高さを、流しの底面から金属棒７までの高さとすることができる。これにより、頸椎支持部２が、高さ調整部６を介して、流しの底面によって保持される。
【００３８】
以上詳細に説明したように、本実施例の頸椎支持具１は、頸椎支持部２の底面の下方に高さ調整部６が結合されている。頸椎支持部２の底面に接して保持する平面がなくとも、その更に下方の面（平面でなくともよい）との間に高さ調整部６を配して頸椎支持部２を保持することができる。むろん、頸椎支持部２の底面に接して保持する平面がある場合には、高さ調整部から空気を抜いて使用すればよい。
【産業上の利用可能性】
【００３９】
頭部の直下に平面がない場合にも第１頸椎を支持することのできる頸椎支持具である。多くの美容院や個人による利用が考えられる。
【符号の説明】
【００４０】
１    頸椎支持具
２    第１袋体（頸椎支持部）
２１  貫通部
２２  第１頸椎支持部
３    第２袋体（肩支持部）
４    通気路
５    遊離部
６    第３袋体（高さ調整部）
７    金属棒
Ｃ１  第１頸椎
Ｓ    肩
【図１】
2016036638.tif 000003
【図２】
2016036638.tif 000004
【図４】
2016036638.tif 000005
【図３】
2016036638.tif 000006